【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】
ＭＰＥＧ類の情報ストリーム受像機において、プログラム選択遅延をマスクするための方法であって、
第１のチューナ／復号器対を利用することによって、選択された情報ストリームを検索し、前記選択された情報ストリームをデコーダに接続するステップと、
動作の走査モードにおいて、第２のチューナ／復号器対を利用することによって、各情報ストリームがプログラムに付帯している複数の既定の情報ストリームのそれぞれのうちの少なくとも一部分を検索するステップと、
前記動作の走査モードにおいて、前記複数の既定の情報ストリームの前記検索された一部分のそれぞれをメモリ内に格納するステップと、
動作のプログラム選択モードにおいて、所望の情報ストリームの識別しるしを前記複数の既定の情報ストリームの識別しるしと比較するステップと、を有し、
前記しるしの有利な比較の場合、
前記情報ストリーム選択プロセスを起動するステップを有し、前記選択プロセスが、遅延時間後に前記所望の情報ストリームを生成し、
前記所望の情報ストリームと有利に比較する前記情報ストリームの前記格納された一部分を前記メモリから検索するステップと、
デコーダへ、前記検索された情報ストリーム部分を接続するステップと、
前記デコーダへ前記情報ストリーム選択プロセスから生じる前記所望の情報ストリームを接続するステップと、を有する、
プログラム選択遅延をマスクする方法。
【請求項２】  
更に、
前記しるしの有利な比較の場合、
オーディオ情報ストリームを生成するように、前記所望の情報ストリームのオーディオ部分を復号化するステップであって、前記オーディオ部分を復号化するステップが、ビデオ部分を復号化するステップに先立つ、復号化ステップと、
前記オーディオ情報ストリームをオーディオデコーダへ接続するステップと、
を有する、
請求項１記載の方法。
【請求項３】  
前記動作の走査モードにおいて、既定の情報ストリームを検索する前記ステップは、
中間周波数（ＩＦ）搬送波信号を生成するように、前記既定の情報ストリームに付帯するラジオ周波数（ＲＦ）搬送波信号を同調するステップと、
前記既定の情報ストリームを備えるシステムストリームを生成するように、前記ＩＦ搬送波信号を復調するステップと、
前記既定の情報ストリームを備えるプログラムトランスポートストリームを検索するように、前記システムストリームをデマルチプレクスするステップと、
前記プログラムトランスポートストリームから、前記プログラムトランスポートストリーム内に含まれる基本ストリームの一部分を抽出するステップと、を有する、
請求項１記載の方法。
【請求項４】  
前記動作の走査モードにおいて、前記検索ステップが、
チューナ及び復調器の少なくとも１つから、前記情報ストリームを含む搬送波信号を同調又は復調することに付帯するパラメータを検索するステップと、
前記検索された同調又は復調するパラメータを格納するステップと、を含む、
請求項１記載の方法。
【請求項５】  
テレビ受像機において、チャンネルを迅速に変更するための装置であって、
複数の利用可能なチャンネルから第１のチャンネルを選択するための第１のチャンネルセレクタと、
前記第１のチャンネルセレクタに接続され、復号化された情報ストリームを生成するよう前記選択された第１のチャンネルに付帯する情報ストリームを復号化するためのデコーダと、
走査されるチャンネルのリスト内の複数の識別されたチャンネルのそれぞれを順次選択するための第２のチャンネルセレクタであって、前記複数の識別されたチャンネルのそれぞれは、各情報ストリームと、チャンネル識別子と、チャンネル同調パラメータとを付帯している、第２のチャンネルセレクタと、
前記第２のチャンネルセレクタと前記デコーダとに接続され、前記順次選択されたチャンネルに付帯する前記情報ストリームのそれぞれの少なくとも一部分を格納し、検索するためのプロセッサと、を備え、
動作のチャンネル変更モードにおいて、
前記プロセッサは、前記リストに挙げられた前記複数のチャンネルのうちの１つを有する所望の新規チャンネルに応答して、前記デコーダへ、前記リストに挙げられた前記１つのチャンネルの前記格納された一部分を接続し、
前記第１のチャンネルセレクタは、前記所望のチャンネルを前記第１のチャンネルとして選択し、
前記デコーダは、有効になっている前記所望のチャンネルに付帯する前記情報ストリームに応答して、前記第１の情報ストリームを復号化することを開始する、
装置。
【請求項６】  
前記第１及び第２のチャンネルセレクタが、それぞれ第１及び第２のシステムストリームを生成するように、それぞれのＲＦ搬送波周波数に同調し、前記それぞれのＲＦ搬送波周波数上に変調されるそれぞれの情報ストリームを復調するための、それぞれ第１及び第２のチューナ／復調器対を備える、
請求項５記載の装置。
【請求項７】  
前記走査されるチャンネルのリストは、リストに挙げられた各チャンネルに付帯するチューナ及び復調器のパラメータを含み、前記チューナ及び復調器のパラメータは、動作のチャンネル走査モード中、前記第２のチューナ／復調器対に接続されている、
請求項６記載の装置。
【請求項８】  
前記動作のチャンネル変更モードにおいて、
前記プロセッサが、前記複数の識別されたチャンネルの１つを有する前記所望の新規チャンネルに応答して、前記第１のチューナ／復調器対へ、前記複数の識別されたチャンネルのうちの前記１つに付帯するチューナ及び復調器のパラメータを接続する、
請求項７記載の装置。
【請求項９】  
前記プロセッサが、動作の前記チャンネル走査モード、又は動作のＰＩＰモードの何れかにおいて、画像内画像（ＰＩＰ）(picture-in-picture)プロセッサを備え、
前記ＰＩＰプロセッサは、前記動作のＰＩＰモードにおいて、単一チャンネルのみのイントラフレーム符号化部分だけを抽出し、前記単一チャンネルの前記抽出されたイントラフレーム符号化部分を出力へ接続する、
請求項５記載の装置。
【請求項１０】  
受像機において、チャンネルを変更するための装置であって、
第１のシステムストリームを生成するよう、所望のＲＦ搬送波周波数に同調し、前記ＲＦ搬送波周波数上に変調される情報ストリームを復調するための第１のチューナ／復調器対と、
第２のシステムストリームを生成するよう、所望のＲＦ搬送波周波数に同調し、前記ＲＦ搬送波周波数上に変調される情報ストリームを復調するための第２のチューナ／復調器対と、
前記第１及び第２のチューナ／復調器対の１つに選択的に接続され、前記第１及び第２のシステムストリームの１つから主チャンネルに付帯するビデオストリームを抽出し、出力へ接続するための主デマルチプレクサと、
前記第１及び第２のチューナ／復調器対の１つに選択的に接続され、前記第１及び第２のシステムストリームの１つから少なくとも１つの補助チャンネルに付帯するビデオストリームの部分を繰返して抽出し、格納するための補助デマルチプレクサと、
前記主及び補助デマルチプレクサの１つに選択的に接続され、出力ビデオストリームを生成するよう、前記主及び補助デマルチプレクサの１つにより提供されるビデオ情報を復号化するためのビデオデコーダと、を備え、
動作のチャンネル走査モードでは、
前記ビデオデコーダは前記主デマルチプレクサへ接続され、
動作のチャンネル変更モードでは、
前記主チャンネルに付帯する前記システムストリームを生成する前記チューナ／復号器対は、所望のチャンネルに付帯するシステムストリームを生成するよう調整され、
前記補助デマルチプレクサは、利用可能な場合、前記所望のチャンネルに付帯するビデオストリームの部分を検索し、出力へ接続し、
前記ビデオデコーダは、前記主デマルチプレクサが前記所望のチャンネルに付帯する有効なビデオ情報ストリームを生成することを始めるまで、前記補助マルチプレクサへ接続される、
チャンネル変更装置。